(57)【要約】【課題】製造コストの増大を抑制する。【解決手段】電源端子と、グランド端子と、電池セルに接続される複数の第１の入力端子と、複数の第２の入力端子を有する信号処理回路と、スイッチ部と、を備え、前記各第１の入力端子及び前記各第２の入力端子は１対１の対応関係にあり、前記スイッチ部は、任意の前記第２の入力端子を、当該第２の入力端子と前記対応関係にない端子である非対応関係端子と電気的に接続し、前記非対応関係端子は、前記任意の前記第２の入力端子以外の前記第２の入力端子、前記任意の前記第２の入力端子と前記対応関係にない前記第１の入力端子、前記グランド端子又は前記電源端子である。【選択図】図１
2020068224.tif 000002
【特許請求の範囲】
【請求項１】
電源端子と、
グランド端子と、
電池セルに接続される複数の第１の入力端子と、
複数の第２の入力端子を有する信号処理回路と、
スイッチ部と、
を備え、
前記各第１の入力端子及び前記各第２の入力端子は１対１の対応関係にあり、
前記スイッチ部は、任意の前記第２の入力端子を、当該第２の入力端子と前記対応関係にない端子である非対応関係端子と電気的に接続し、
前記非対応関係端子は、前記任意の前記第２の入力端子以外の前記第２の入力端子、前記任意の前記第２の入力端子と前記対応関係にない前記第１の入力端子、前記グランド端子又は前記電源端子であることを特徴とする、集積回路。
【請求項２】
前記スイッチ部は、前記任意の前記第２の入力端子と当該第２の入力端子と前記対応関係にある前記第１の入力端子とを電気的に接続する第１の接続状態と、前記任意の前記第２の入力端子と前記非対応関係端子とを電気的に接続する第２の接続状態と、のいずれかの接続状態に切り替え可能であることを特徴とする、請求項１に記載の集積回路。
【請求項３】
前記非対応関係端子は、前記グランド端子であって、
前記スイッチ部及び前記グランド端子の間に抵抗素子が設けられることを特徴とする、請求項１又は２に記載の集積回路。
【請求項４】
前記非対応関係端子は、前記任意の前記第２の入力端子と前記対応関係にない前記第１の入力端子であって、前記電池セルが接続されている前記第１の入力端子であることを特徴とする、請求項１又は２に記載の集積回路。
【請求項５】
前記電池セルが接続されない前記第１の入力端子である未使用端子の情報が格納されているメモリと、
前記スイッチ部の切り替えを制御するスイッチ制御部と、
を備え、
前記スイッチ制御部は、前記メモリに格納されている未使用端子の情報に基づいて、前記未使用端子と前記対応関係にある前記第２の入力端子を、前記非対応関係端子に接続するように前記スイッチ部を切り替えることを特徴とする、請求項１から４のいずか一項に記載の集積回路。
【請求項６】
請求項１から４のいずれか一項に記載の集積回路と、
前記集積回路と通信するＣＰＵと、
を備え、
前記集積回路は、前記スイッチ部の切り替えを制御するスイッチ制御部を備え、
前記スイッチ制御部は、前記ＣＰＵと通信することで前記電池セルが接続されない前記第１の入力端子である未使用端子の情報を受信し、前記受信した前記未使用端子の情報に基づいて、前記未使用端子と前記対応関係にある前記第２の入力端子を、前記非対応関係端子に接続するように前記スイッチ部を切り替えることを特徴とする、電池監視装置。
【発明の詳細な説明】
【技術分野】
【０００１】
本発明は、集積回路及び電池監視装置に関する。
【背景技術】
【０００２】
下記特許文献１には、複数の電池セルと電気的に接続され、各電池セルの状態を監視する電池監視用ＩＣ（集積回路）が開示されている。
【０００３】
ところで、ＩＣメーカでは、電池監視用ＩＣとして、１４個の電池セルが接続可能な電池監視用ＩＣや１８個の電池セルが接続可能な電池監視用ＩＣをラインアップしている。
【０００４】
例えば、一つの電池監視用ＩＣで１２個の電池セルの状態を監視しようとした場合には、１２個の電池セルを接続可能な電池監視用ＩＣがラインアップされていなければ、最も近い１４個の電池セルを接続可能な電池監視用ＩＣを用いる必要がある。この場合には、２つの空き端子が発生することになるが、一般的に、空き端子は抵抗を介して電源がグランドに接続する、「空き端子処理」を行う必要がある。
【先行技術文献】
【特許文献】
【０００５】
【特許文献１】特開２０１４−８２１５２号公報
【発明の概要】
【発明が解決しようとする課題】
【０００６】
しかしながら、従来では、空き端子が発生した場合には、空き端子に接続する素子や配線パターンを基板上に設ける必要があるため、製造コストが増加するという問題がある。
【０００７】
本発明は、このような事情に鑑みてなされたもので、その目的は、製造コストの増大を抑制可能な集積回路及び電池監視装置を提供することである。
【課題を解決するための手段】
【０００８】
本発明の一態様は、電源端子と、グランド端子と、電池セルに接続される複数の第１の入力端子と、複数の第２の入力端子を有する信号処理回路と、スイッチ部と、を備え、前記各第１の入力端子及び前記各第２の入力端子は１対１の対応関係にあり、前記スイッチ部は、任意の前記第２の入力端子を、当該第２の入力端子と前記対応関係にない端子である非対応関係端子と電気的に接続し、前記非対応関係端子は、前記任意の前記第２の入力端子以外の前記第２の入力端子、前記任意の前記第２の入力端子と前記対応関係にない前記第１の入力端子、前記グランド端子又は前記電源端子であることを特徴とする、集積回路である。
【０００９】
本発明の一態様は、上述の集積回路であって、前記スイッチ部は、前記任意の前記第２の入力端子と当該第２の入力端子と前記対応関係にある前記第１の入力端子とを電気的に接続する第１の接続状態と、前記任意の前記第２の入力端子と前記非対応関係端子とを電気的に接続する第２の接続状態と、のいずれかの接続状態に切り替え可能である。
【００１０】
本発明の一態様は、上述の集積回路であって、前記非対応関係端子は、前記グランド端子であって、前記スイッチ部及び前記グランド端子の間に抵抗素子が設けられる。
【００１１】
本発明の一態様は、上述の集積回路であって、前記非対応関係端子は、前記任意の前記第２の入力端子と前記対応関係にない前記第１の入力端子であって、前記電池セルが接続されている前記第１の入力端子である。
【００１２】
本発明の一態様は、上述の集積回路であって、前記電池セルが接続されない前記第１の入力端子である未使用端子の情報が格納されているメモリと、前記スイッチ部の切り替えを制御するスイッチ制御部と、を備え、前記スイッチ制御部は、前記メモリに格納されている未使用端子の情報に基づいて、前記未使用端子と前記対応関係にある前記第２の入力端子を、前記非対応関係端子に接続するように前記スイッチ部を切り替える。
【００１３】
本発明の一態様は、上述の集積回路と、前記集積回路と通信するＣＰＵと、を備え、前記集積回路は、前記スイッチ部の切り替えを制御するスイッチ制御部を備え、前記スイッチ制御部は、前記ＣＰＵと通信することで前記電池セルが接続されない前記第１の入力端子である未使用端子の情報を受信し、前記受信した前記未使用端子の情報に基づいて、前記未使用端子と前記対応関係にある前記第２の入力端子を、前記非対応関係端子に接続するように前記スイッチ部を切り替えることを特徴とする、電池監視装置である。
【発明の効果】
【００１４】
以上説明したように、本発明によれば、製造コストの増大を抑制することができる。
【図面の簡単な説明】
【００１５】
【図１】本発明の一実施形態に係る集積回路を備えた電池監視装置Ａの概略構成の一例を示す図である。
【図２】本発明の一実施形態に係る電源監視用ＩＣ１の概略構成の一例を示す図である。
【図３】本発明の一実施形態に係る電源監視用ＩＣ１のスイッチＳＷの切り替え動作を説明する図である。
【図４】本発明の一実施形態に係る電源監視用ＩＣ１のスイッチＳＷの切り替え動作を説明する図である。
【発明を実施するための形態】
【００１６】
以下、本発明の一実施形態に係る集積回路及び電池監視装置を、図面を用いて説明する。
【００１７】
図１は、本発明の一実施形態に係る集積回路を備えた電池監視装置Ａの概略構成の一例を示す図である。
【００１８】
本発明の一実施形態に係る電源監視装置Ａは、図１に示すように組電池Ｘ（直流電源）の電圧を検出して当該電圧を監視する装置である。
【００１９】
組電池Ｘは、例えば、電気自動車やハイブリッド自動車等の車両に搭載されるバッテリであり、リチウムイオン電池やニッケル水素電池等の二次電池である。
この組電池Ｘは、直列接続された複数の電池セル群Ｇ（Ｇ１〜Ｇ４）を備える。そして、各電池セル群Ｇ１〜Ｇ４には、複数の電池セルＣが直列接続されている。ここで、各電池セル群Ｇ１〜Ｇ４の電池セルＣの数（以下、「電池セル数」ともいう。）は、組電池Ｘが搭載される車両の車体サイズ等に左右されるため、当該車両によって電池セル数が異なる場合がある。なお、本実施形態では、電池セル群Ｇの数が４の場合について説明するが、本発明は電池セル群Ｇの数には限定されず、電池セル群Ｇは、組電池Ｘが搭載される車両の車体サイズ等に左右され、当該車両によって異なる場合がある。
【００２０】
各電池セル群Ｇ１〜Ｇ４において、最上位に位置する電池セル（最上位セル）の正極端子が電池セル群１０の正極端子（一方の出力端子）であり、また最下位に位置する電池セル（最下位セル）の負極端子が電池セル群１０の負極端子（他方の出力端子）である。そして、各電池セル群Ｇ１〜Ｇ４の正極端子及び負極端子は、それぞれ電源監視装置Ａに接続される。なお、複数の電池セル群Ｇ１〜Ｇ４のそれぞれを区別しない場合には、単に「電池セル群Ｇ」と標記する。
【００２１】
以下に、本発明の一実施形態に係る電池監視装置Ａの構成について、具体的に説明する。
【００２２】
図１に示すように、電池監視装置Ａは、複数の電池監視用ＩＣ１（１−１〜１−４）、ＣＰＵ２、及び絶縁部３を備える。
【００２３】
複数の電池監視用ＩＣ１（１−１〜１−４）は、複数の電池セルＣと電気的に接続され、各電池セルＣの状態を監視するＩＣ（集積回路；integrated circuit）である。この電池監視用ＩＣ１は、各電池セル群Ｇ１〜Ｇ４に対応して設けられている。なお、本実施形態では、電池監視装置Ａは、各電池セル群Ｇ１〜Ｇ４に対応して４つのこの電池監視用ＩＣ１−１〜１−４を備える場合について説明するが、本発明はこれに限定されない。すなわち、本発明では、電池監視装置Ａは、電池監視用ＩＣ１の数には特に限定されず、１以上であればよい。なお、複数の電池監視用ＩＣ１−１〜１−４は、それぞれ同様の構成を有しており、複数の電池監視用ＩＣ１−１〜１−４のそれぞれを区別しない場合には、単に「電池監視用ＩＣ１」と標記する。
【００２４】
例えば、電池監視用ＩＣ１は、電池セル群Ｇに対応して設けられており、電池セル群Ｇにおける各電池セルＣの出力端子（プラス端子又はマイナス端子）に各々対応する複数の第１の入力端子Ｉｘ１〜Ｉｘｎ（ｎは２以上の整数）を備えている。そして、各電池セルＣの出力端子（プラス端子又はマイナス端子）と電池監視用ＩＣ１の複数の第１の入力端子Ｉｘ１〜Ｉｘｎとは、例えば、接続線によって１対１で接続される。これにより、各電池セルＣの両端と電池監視用ＩＣ１とは電気的に接続される。そして、電池監視用ＩＣ１は、各電池セルＣの両端間の電位差（以下、「両端電圧」という。）を検出することで各電池セルＣの状態を監視する。
【００２５】
また、電源監視用ＩＣ１は、電源監視用ＩＣ１に電力を供給するための電源端子Ｐを備える。この電源端子Ｐには、外部に設けられた電源が接続される。例えば、電源監視用ＩＣは、監視対象である電池セルＣに電源端子Ｐが接続されることで、当該電池セルＣから電源供給を受けて動作してもよい。
さらに、電源監視用ＩＣは、グランド（ＧＮＤ）端子Ｇを備える。このグランド（ＧＮＤ）端子Ｇは、接地電位（グランド電位）に接続される。
【００２６】
なお、本実施形態では、複数の電池監視用ＩＣ１−１〜１−４は、デイジーチェーン接続されており、互いに通信ラインＬ１で接続されている。この通信ラインＬ１は、双方向の通信が可能な通信ラインである。すなわち、各電池監視用ＩＣ１は、隣接する電池監視用ＩＣ１と双方向通信可能である。
【００２７】
また、デイジーチェーン接続された複数の電池監視用ＩＣ１−１〜１−４のうち最高電位側（一端側）の電池監視用ＩＣ１−４のみ通信ラインＬ２を介してＣＰＵ２と通信可能に接続されている。通信ラインＬ２は、双方向の通信が可能な通信ラインであって、絶縁部３が設けられている。これにより、電池監視用ＩＣ１−４及びＣＰＵ２は、互いに電気的に絶縁された状態で通信を行うことで、情報を送受することができる。
【００２８】
ＣＰＵ２は、各電池監視用ＩＣ１−１〜１−４が検出した電池セルＣの両端電圧を、電池監視用ＩＣ１−４から取得して組電池Ｘ（直流電源）の電圧を監視する。
【００２９】
絶縁部３は、電池監視用ＩＣ１−４とＣＰＵ２との電気的な接続を絶縁するものであって、例えばフォトカプラや磁気カプラ等である。
【００３０】
次に、本実施形態に係る電源監視用ＩＣ１の概略構成について、図２を用いて具体的に説明する。図２は、本発明の一実施形態に係る電源監視用ＩＣ１の概略構成の一例を示す図である。
【００３１】
電源監視用ＩＣ１は、複数の第１の入力端子Ｉｘ１〜Ｉｘｎ、電源端子Ｐ、グランド端子Ｇ、マルチプレクサ１１、スイッチ部１２、アナログデジタルコンバータ（ＡＤＣ）１３、メモリ１４、及び制御部１５を備える。なお、マルチプレクサ１１は、本発明の「信号処理回路」の一例である。アナログデジタルコンバータ（ＡＤＣ）１３を「信号処理回路」の一例としてもよい。また、スイッチ制御部は、本発明の「制御部」の一例である。
【００３２】
マルチプレクサ１１は、複数の第２の入力端子Ｉｙ１〜Ｉｙｎ及び出力端子Ｏｙを備えている。マルチプレクサ１１は、外部から選択信号を取得し、この選択信号に基づいて、複数の第２の入力端子Ｉｙ１〜Ｉｙｎのそれぞれに入力された入力信号のうち、いずれかを入力信号を選択する。そして、マルチプレクサ１１は、選択した入力信号を出力信号Ｓａとして出力端子Ｏｙから出力する。
【００３３】
第２の入力端子Ｉｙ１〜Ｉｙｎは、第１の入力端子Ｉｘ１〜Ｉｘｎに対して１対１で対応して設けられている。すなわち、各第２の入力端子Ｉｙ１〜Ｉｙｎ及び各第１の入力端子Ｉｘ１〜Ｉｘｎは、１対１の対応関係がある。例えば、第２の入力端子Ｉｙ１と第１の入力端子Ｉｘ１とが１対１の対応関係にあり、第２の入力端子Ｉｙ２と第１の入力端子Ｉｘ２とが１対１の対応関係にあり、第２の入力端子Ｉｙｎと第１の入力端子Ｉｘｎとが１対１の対応関係にある。
【００３４】
スイッチ部１２は、第２の入力端子Ｉｙ１〜Ｉｙｎのうち、任意の第２の入力端子Ｉｙを、当該第２の入力端子Ｉｙと１対１の対応関係にない端子である非対応関係端子と電気的に接続させる。非対応関係端子とは、上記任意の第２の入力端子Ｉｙ以外の第２の入力端子Ｉｙ、任意の第２の入力端子Ｉｙと１対１の対応関係にない第１の入力端子Ｉｘ、グランド端子Ｇ、又は電源端子Ｐである。
【００３５】
例えば、スイッチ部１２が、第２の入力端子Ｉｙ１〜Ｉｙｎのうち、任意の第２の入力端子Ｉｙとして第２の入力端子Ｉｙ１を非対応関係端子に電気的に接続する場合には、非対応関係端子は、第２の入力端子Ｉｙ２〜Ｉｙｎ、第１の入力端子Ｉｘ２〜Ｉｘｎ、グランド端子Ｇ、及び電源端子Ｐのうち、一つ以上の端子である。なお、本実施形態では、非対応関係端子が、グランド端子Ｇである場合について説明する。
【００３６】
以下に、スイッチ部１２の構成について、説明する。
スイッチ部１２は、複数のスイッチＳＷ１〜ＳＷｎ及び複数の抵抗素子Ｒを備える。なお、複数の電スイッチＳＷ１〜ＳＷｎのそれぞれを区別しない場合には、単に「スイッチＳＷ」と標記する。
【００３７】
本実施形態では、スイッチＳＷは、第１の入力端子Ｉｘ１〜Ｉｘｎ及び第２の入力端子Ｉｙ１〜Ｉｙｎの間のそれぞれに設けられている。すなわち、スイッチＳＷは、１対１の対応関係がある第１の入力端子Ｉｘ１〜Ｉｘｎ及び第２の入力端子Ｉｙ１〜Ｉｙｎの間のそれぞれに設けられている。
【００３８】
スイッチＳＷは、１対１の対応関係にある第２の入力端子Ｉｙ及び第１の入力端子Ｉｘを電気的に接続する第１の接続状態と、第２の入力端子Ｉｙ及びグランド端子Ｇを電気的に接続する第２の接続状態と、のいずれかの接続状態に切り替え可能である。すなわち、スイッチＳＷｋ（ｋは１からｎのうちのいずれかの整数）は、第２の入力端子Ｉｙｋ及び第１の入力端子Ｉｘｋを電気的に接続する第１の接続状態と、第２の入力端子Ｉｙｋ及びグランド端子Ｇを電気的に接続する第２の接続状態と、のいずれかの接続状態に切り替え可能である。
【００３９】
ここで、抵抗素子Ｒは、各スイッチＳＷ及びグランド端子Ｇの間に設けられている。例えば、抵抗素子Ｒの一端がグランド端子Ｇと電気的に接続されている。したがって、本実施形態に係る第２の接続状態は、第２の入力端子Ｉｙｋが抵抗素子Ｒの他端に電気的に接続されることで、第２の入力端子Ｉｙｋが抵抗素子Ｒを介してグランド端子Ｇに電気的に接続する接続状態である。
【００４０】
ＡＤＣ１３は、マルチプレクサ１１の出力端子Ｏｙから出力されたアナログデータの出力信号Ｓａをデジタルデータに変換する。そして、ＡＤＣ１３は、デジタルデータに変更した出力信号Ｓｄを制御部１５に送信する。
【００４１】
メモリ１４には、第１の入力端子Ｉｘ１〜Ｉｘｎのうち、電池セルＣが接続されない第１の入力端子Ｉｘである未使用端子の情報（以下、「未使用端子情報」という。）が予め格納されている。例えば、未使用端子情報は、電池監視装置製造時やプログラム書き込み時等にメモリ１４に予め格納される。
【００４２】
制御部１５は、他の電源監視用ＩＣ１やＣＰＵ２と双方向に通信する通信機能を有する。制御部１５は、他の電源監視用ＩＣ１やＣＰＵ２に出力信号Ｓｄを送信する。
【００４３】
また、制御部１５は、スイッチ部１２の動作を制御する。例えば、制御部１５は、スイッチ部１２の切り替えを制御し、メモリ１４に格納されている未使用端子情報に基づいて、未使用端子と１対１の対応関係にある第２の入力端子Ｉｙを、非対応関係端子に接続するようにスイッチ部１２を制御する。具体的には、制御部１５は、未使用端子情報に基づいて各スイッチＳの切り替えを制御することで、第１の接続状態と第２の接続状態と、のいずれかの接続状態に切り替える。
【００４４】
以下に、本実施形態に係る電源監視用ＩＣ１のスイッチＳＷの切り替え動作について、図３を用いて説明する。
【００４５】
例えば、電池監視用ＩＣ１が１４個の電池セルＣが接続可能であって、この電池監視用ＩＣ１に１２個の電池セルＣを接続したとする。ここで、図３に示す例では、電池監視用ＩＣ１の第１の入力端子Ｉｘ１〜Ｉｘ１５（ｎ＝１５）のうち、第１の入力端子Ｉｘ５及び第１の入力端子Ｉｘ６にのみ電池セルＣが接続されない。したがって、メモリ１４には、未使用端子情報として、第１の入力端子Ｉｘ５及び第１の入力端子Ｉｘ６を識別する情報が予め格納されている。
【００４６】
この場合において、制御部１５は、メモリ１４から未使用端子情報を読み出し、その読み出した未使用端子情報から未使用端子、すなわち第１の入力端子Ｉｘ５及び第１の入力端子Ｉｘ６を非対応関係端子に接続するようにスイッチ部１２を制御する。例えば、メモリ１４には、例えば未使用端子の情報に基づいて、第２の接続状態にするスイッチＳＷが決定できるようなテーブルＴが予め格納されていてもよい。このテーブルＴは、各入力端子Ｉｘ１〜Ｉｘ１５の情報と、各入力端子Ｉｘ１〜Ｉｘ１５に対応する各スイッチＳＷ１〜ＳＷ１５の情報とを備える。そして、制御部１５は、未使用端子情報から得られた未使用端子（電池セルＣが接続されていない入力端子Ｉｘ）の情報を取得し、当該未使用端子に対応するスイッチＳＷを上記テーブルから取得する。そして、制御部１５は、このテーブルから取得したスイッチＳＷを第２の接続状態にするように制御する。
【００４７】
図３に示す例では、制御部１５は、スイッチＳＷ１からスイッチＳＷ１５のうち、スイッチＳＷ５及びスイッチＳＷ６のみを第２の接続状態に制御することで、空き端子である第２の入力端子Ｉｙ５及びＩｙ６を、それぞれ抵抗素子Ｒを介してグランド端子Ｇに電気的に接続する。換言すれば、制御部１５は、スイッチＳＷ５及びスイッチＳＷ６を制御して、空き端子である第２の入力端子Ｉｙ５及びＩｙ６のみをグランド端子に接続することで、第２の入力端子Ｉｙ５及びＩｙ６に対して空きピン処理を行う。これにより、空き端子が発生した場合であっても、空き端子に接続する素子や配線パターンを基板上に設ける必要がない。したがって、製造コストの増大を抑制することができる。
【００４８】
なお、制御部１５がメモリ１４から未使用端子情報を読み出すタイミングは、任意に設定することが可能であって、特に限定されないが、例えば、電源が投入され制御部１５が起動した場合やＣＰＵ２からスイッチ部１２を制御することを指示する指示信号を取得した場合である。また、制御部１５は、ＣＰＵ２が電源監視用ＩＣ１を起動させる起動信号を出力したことに連動してメモリ１４から未使用端子情報を読み出してもよい。例えば、制御部１５は、ＣＰＵ２から起動信号を取得した場合にメモリ１４から未使用端子情報を読み出してもよい。
【００４９】
以上、この発明の実施形態について図面を参照して詳述してきたが、具体的な構成はこの実施形態に限られるものではなく、この発明の要旨を逸脱しない範囲の設計等も含まれる。
【００５０】
（変形例１）
例えば、上記実施形態では、非対応関係端子がグランド端子Ｇである場合について説明したが、本発明はこれに限定されない。例えば、第２の入力端子Ｉｙ１を非対応関係端子に電気的に接続する場合において、非対応関係端子は、第２の入力端子Ｉｙ２〜Ｉｙｎのいずれかであってもよいし、任意の第２の入力端子Ｉｙ１と１対１の対応関係にない第１の入力端子Ｉｘ２〜Ｉｘｎのいずれかであってもよいし、電源端子Ｐであってもよい。
【００５１】
例えば、図４は、任意の第２の入力端子Ｉｙを非対応関係端子に電気的に接続する場合において、非対応関係端子が、任意の第２の入力端子Ｉｙ以外の第２の入力端子Ｉｙである場合の一例を示す図である。したがって、図４では、スイッチＳＷｋ（ｋは１からｎのうちのいずれかの整数）は、第２の入力端子Ｉｙｋを、１対１の対応関係にある第１の入力端子Ｉｘｋに電気的に接続する第１の接続状態と、第２の入力端子Ｉｙｋを、当該第２の入力端子Ｉｙｋを以外の第２の入力端子Ｉｙｍ（ｍは、１からｎのうちのｋ以外の整数）と電気的に接続する第２の接続状態と、のいずれかの接続状態に切り替え可能である。
以下、図４に示す電源監視用ＩＣ１のスイッチＳＷの切り替え動作について説明する。
【００５２】
例えば、図３と同様に、電池監視用ＩＣ１が１４個の電池セルＣが接続可能であって、この電池監視用ＩＣ１に１２個の電池セルＣを接続したとする。そして、図４に示すように、電池監視用ＩＣ１の第１の入力端子Ｉｘ１〜Ｉｘ１５（ｎ＝１５）のうち、第１の入力端子Ｉｘ５及び第１の入力端子Ｉｘ６にのみ電池セルＣが接続されない。したがって、メモリ１４には、未使用端子情報として、第１の入力端子Ｉｘ５及び第１の入力端子Ｉｘ６を識別する情報が予め格納されている。
【００５３】
この場合において、制御部１５は、メモリ１４から未使用端子情報を読み出し、その読み出した未使用端子情報から未使用端子、すなわち第１の入力端子Ｉｘ５及び第１の入力端子Ｉｘ６を非対応関係端子に接続するようにスイッチ部１２を制御する。例えば、制御部１５は、メモリ１４に格納されている未使用端子情報から得られた未使用端子（電池セルＣが接続されていない入力端子Ｉｘ）の情報を取得し、当該入力端子Ｉｘに対応するスイッチＳＷを上記テーブルＴから取得する。そして、制御部１５は、このテーブルＴから取得したスイッチＳＷを第２の接続状態にするように制御する。
【００５４】
図４に示す例では、制御部１５は、スイッチＳＷ１からスイッチＳＷ１５のうち、スイッチＳＷ５及びスイッチＳＷ６のみを第２の接続状態に制御することで、第２の入力端子Ｉｙ５を隣接する第２の入力端子Ｉｙ４に電気的に接続し、第２の入力端子Ｉｙ６を隣接する第２の入力端子Ｉｙ５に電気的に接続する。したがって、第２の入力端子Ｉｙ５及び第２の入力端子Ｉｙ６は、第２の入力端子Ｉｙ４に電気的に接続されることになる。ここで、第２の入力端子Ｉｙ４は、電池セルＣが接続された第１の入力端子Ｉｘ４と電気的に接続されている（第１の接続状態で接続されている）。そのため、空き端子である第２の入力端子Ｉｙ５及び第２の入力端子Ｉｙ６は、空き端子処理として第２の入力端子Ｉｙ４に接続されることで電位が安定する。
【００５５】
なお、この図４に示す例では、空き端子である第２の入力端子Ｉｙ５及び第２の入力端子Ｉｙ６を、電池セルＣが接続された第１の入力端子Ｉｘ４（すなわち、電池セルＣが接続された第１の端子Ｉｘ）に電気的に接続することになる。したがって、図４では、非対応関係端子は、第２の入力端子Ｉｙ５又は第２の入力端子Ｉｙ６と１対１の対応関係にない第１の入力端子Ｉｘと表現できる。ここで、「第２の入力端子Ｉｙ５又は第２の入力端子Ｉｙ６と１対１の対応関係にない第１の入力端子Ｉｘ」とは、電池セルＣが接続される第１の入力端子Ｉｘである。
【００５６】
（変形例２）上記実施形態では、メモリ１４に未使用端子情報が格納されている場合について説明したが、本発明はこれに限定されず、電源監視用ＩＣ１は、未使用端子情報を外部から取得してもよい。例えば、電源監視用ＩＣ１は、ＣＰＵ２と通信することで未使用端子情報をＣＰＵ２から取得してもよい。本実施形態のように電源監視装置Ａがデイジーチェーン接続された４つの電源監視用ＩＣ１−１〜１−４を有する場合では、電池監視用ＩＣ１−４が通信ラインＬ２を介してＣＰＵ２と通信して未使用端子情報を受信する。そして、電池監視用ＩＣ１−４は、未使用端子情報をメモリ１４に格納するとともに、後段の電池監視用ＩＣ１−３に未使用端子情報を送信する。電池監視用ＩＣ１−３は、電池監視用ＩＣ１−３から未使用端子情報を受信してメモリ１４に格納するとともに、後段の電池監視用ＩＣ１−２に未使用端子情報を送信する。このようにして、電池監視用ＩＣ１−１まで未使用端子情報が送信され、各電源監視用ＩＣ１−１〜１−４は、未使用端子情報を受信することで取得することができる。
【００５７】
以上、説明したように、本実施形態に係る電源監視用ＩＣ１は、電源端子Ｐ、グランド端子Ｃ、電池セルＣに接続される複数の第１の入力端子Ｉｘ、複数の第２の入力端子Ｉｙを有するマルチプレクサ１１、及びスイッチ部１２を備える。この各第１の入力端子Ｉｘ及び各第２の入力端子Ｉｙは１対１の対応関係にあり、スイッチ部１２は、任意の第２の入力端子Ｉｙを、当該第２の入力端子Ｉｙと１対１の対応関係にない端子である非対応関係端子と電気的に接続する。この非対応関係端子は、上記任意の第２の入力端子Ｉｙ以外の第２の入力端子Ｉｙ、上記任意の第２の入力端子と１対１の対応関係にない第１の入力端子Ｉｘ、グランド端子Ｇ、又は電源端子Ｐである。
【００５８】
このような構成によれば、空き端処理を行うにあたって、空き端子に接続する素子や配線パターンを基板上に設ける必要がない。これにより、製造コストの増大を抑制することができる。
【符号の説明】
【００５９】
Ａ  電池監視装置
１  電池監視用ＩＣ
２  ＣＰＵ
Ｉｘ  第１の入力端子
Ｐ  電源端子
Ｇ  グランド端子
１１  マルチプレクサ（信号処理回路）
１２  スイッチ部
１４  メモリ
１５  制御部
【図１】
2020068224.tif 000003
【図２】
2020068224.tif 000004
【図３】
2020068224.tif 000005
【図４】
2020068224.tif 000006